(57)【要約】【課題】ワイシャツを着用してネクタイを装着する場合に、ネクタイを結び締めするような手間を要しないでワンタッチで簡単迅速に装着又は取外しができるようにした利便性の高いワンタッチ簡単ネクタイ及びホルダーを提供する。【解決手段】ワイシャツの襟（１０）の襟元内側に前面から着脱自由に装着されるようにしたワンタッチ止めネクタイであって、逆三角形状の三角板部（２１）とこの板部下縁より垂下した垂片（２２）とを一体形成してなるホルダー（２０）と、このホルダー（２０）に保持されるネクタイ（１）及び前記ホルダー（２０）の三角板部（２１）に抜差可能に被嵌される同形のネクタイ締め部材（２）とよりなり、前記三角板部（２１）には前面より後方へ後方より前面へ折り返すようにネクタイ（１）を挿通するスリット孔（２３，２４）を備え、ホルダー（２０）の垂片（２２）にネクタイ止め（２５）を設けることにより課題を解決する。【選択図】図１
2007224469.tif 000002
【特許請求の範囲】
【請求項１】
ワイシャツの襟（１０）の襟元内側に前面から着脱自由に装着されるようにしたワンタッチ止めネクタイであって、逆三角形状の三角板部（２１）とこの板部下縁より垂下した垂片（２２）とを一体形成してなるホルダー（２０）と、このホルダー（２０）に保持されるネクタイ（１）及び前記ホルダー（２０）の三角板部（２１）に抜差可能に被嵌される同形のネクタイ締め部材（２）とよりなり、前記三角板部（２１）には前面より後方へ後方より前面へ折り返すようにネクタイ（１）を挿通するスリット孔（２３，２４）を備え、ホルダー（２０）の垂片（２２）にネクタイ止め（２５）を設けてなるワンタッチ簡単ネクタイ。
【請求項２】
前記ホルダー（２０）を樹脂成形品で垂片（２２）にネクタイを横から挟持するクリップ式止具（２５ａ）を一体形成してなるワンタッチ簡単ネクタイのホルダー。
【発明の詳細な説明】
【技術分野】
【０００１】
本発明は、ワイシャツを着用してネクタイを装着する場合に、ネクタイを結び締めするような手間を要しないでワンタッチで簡単迅速に装着又は取外しができるようにした新しいタイプのワンタッチ簡単ネクタイに関する。
【背景技術】
【０００２】
ネクタイをワンタッチでワイシャツの襟元に装着又は取外すことができるようにしたワンタッチ止めネクタイは、従来から様々なものが提案されている。
特許文献１及び２は、ネクタイに逆三角状のネクタイ結び部を固定式に形成しこの結び部にネックバンドを設けた場合のワンタッチ止めネクタイの一例である。
【０００３】
【特許文献１】実開昭６１−１６４２１３号公報
【特許文献２】特開２００３−３１３７１３号公報
【発明の開示】
【発明が解決しようとする課題】
【０００４】
従来のワンタッチ止めネクタイは、図５（ａ）に示すようにネクタイ（４１）に固定化した結び部（４２）を形成し、この結び部に輪状のネックバンド（４３）が設けたもので、使用方法はネックバンドをワイシャツの襟内に回わすように嵌める。又ネックバンドを開閉式にしてホック等で止める方法である。
【０００５】
上記のような従来のネックバンドを使用したワンタッチ止めネクタイでは、固定化した結び部を具有し、これにネックバンドを取付けるためネクタイの使用が限定される上にネックバンドを襟首に回わし止めしたり、ホック等で着脱する操作は以外に面倒な面もあって却って不便という問題がある。
【０００６】
また、図５（ｂ）に示すものでは、固定化した結び部（４２）をホルダー（４５）を用いて形成し、ホルダーの足に止具（４６）を設けてワイシャツ側に着脱させるという形式のものではワイシャツ側にも止具が必要となるため着用するワイシャツの制限もある。
【０００７】
本発明は上記に鑑みてなされたものであり、ネクタイの装着、取外しが文字通りワンタッチで簡単にでき、ネックバンドやワイシャツ本体との着脱用止具を必要としないで、瞬時に使用が可能で、而も１本のネクタイで結び部の交換が可能なためツートンカラーやコンビネーションネクタイとして利用できお洒落でファツション性、利便性の高いワンタッチ簡単ネクタイを提供することを技術的課題とする。
【課題を解決するための手段】
【０００８】
本発明に係るワンタッチ簡単ネクタイは、ワイシャツの襟（１０）の襟元内側に前面から着脱自由に装着されるようにしたワンタッチ止めネクタイであって、逆三角形状の三角板部（２１）とこの板部下縁より垂下した垂片（２２）とを一体形成してなるホルダー（２０）と、このホルダー（２０）に保持されるネクタイ（１）及び前記ホルダー（２０）の三角板部（２１）に抜差可能に被嵌される同形のネクタイ締め部材（２）とよりなり、前記三角板部（２１）には前面より後方へ後方上部より前面へ折り返すようにネクタイ（１）を挿通するスリット孔（２３，２４）を備え、ホルダー（２０）の垂片（２２）にネクタイ止め（２５）を設けてなることを特徴とする。
【０００９】
上記の構成によると、ワイシャツを着用してネクタイを付けるときは、逆三角形状のネクタイ締め部を襟元の内側に、装着してホルダー垂片のネクタイ止めでネクタイを挟持するだけでネクタイ締め部は襟元の内側に引掛って前方向に係止され、下方向にはネクタイ止めで阻止されるので定位置にセットできるものであり、外す場合はネクタイ締め部をつまんで引出し止具を外せば簡単にワンタッチで操作することができる。ネクタイ締め部はネクタイの色や柄と違うものを使用できるため、ツートンカラーやコンビネーションネクタイとして使用できる。
【００１０】
また、本発明に係るワンタッチ簡単ネクタイのホルダーは、ホルダー（２０）を樹脂成形品で垂片（２２）にネクタイを横から挟持するクリップ式止具（２５ａ）を一体形成してなることを特徴とする。
【００１１】
このような構成によると、ホルダーを樹脂成形で簡単安価に製作できるとともに、このホルダーを用いてネクタイを巻き付けるようにセットしその上からネクタイ締め部材を装着して三角状のネクタイ結び部を形成できるため高度の技術を要しないで簡単に使用できる。
【発明の効果】
【００１２】
本発明に係るワンタッチ簡単ネクタイは。逆三角形状のネクタイ締め部をワイシャツの襟元内側に押し込むように当てがうと共にホルダー垂片のネクタイ止めでネクタイを挟持させることによりネクタイ締め部は襟元内側に係止されて前方への移動が阻止され、同時に下方向に対してはネクタイ止めで阻止されるためネクタイは定位置にセットされ、また外す場合はネクタイ止めを外しながらネクタイ締め部を前方へ引き出せば襟元との係合が外れてワンタッチで簡単にセットし又は外すことができる。而もネクタイは特別なものでなく、通常のものを使用できる。ホルダーへの装置は横長のスワット孔に通してネクタイ締め部を被せるだけで簡単にワンタッチ簡単ネクタイをつくることができる。さらにネクタイ締め部とネクタイ本体と異色、ツートンカラー、柄物のコンビネーション等の組合せが可能なため、好みにより交換することで１本のネクタイで変化に富んだ使用が実現できる。
【００１３】
また、本発明に係るワンタッチ簡単ネクタイのホルダーは樹脂成形品で三角板部と垂片及びクリップ式止具とを一体成形して簡単、安価に得られると共にネクタイへの装着セット及び解除が容易で老若男女誰でも楽に操作できる。
【発明を実施するための最良の形態】
【００１４】
以下、図１乃至図４を参照して、本発明に係るワンタッチ簡単ネクタイ及びホルダーについて実施例を説明する。
【実施例】
【００１５】
図１は、本発明のワンタッチ簡単ネクタイをワイシャツに着用した状態の正面図で、図２（ａ）及び（ｂ）は、ホルダーの正面図とそのＡ−Ａ線断面図で、図２（ｃ）及び（ｄ）は、ネクタイ締め部材の正面図と、そのＢ−Ｂ線断面図である。このワンタッチ簡単ネクタイは、１本のネクタイ（１）とこのネクタイを保持するホルダー（２０）及びホルダーの三角板部に被せられてワイシャツの襟（１０）に係着するネクタイ締め部材（２）とから構成される。
【００１６】
図３はネクタイ（１）とこのネクタイのホルダー（２０）及びネクタイ締め部材（２）の分解斜視図である。ネクタイ（１）は、通常の市販されているものをそのまま使用してもよく、また特注さつれたもの、例えば多少短か目に形成されたものであってもよい。
【００１７】
ホルダー（２０）は、ＡＢＳ樹脂のような樹脂成形品で構成され、上端に逆三角板部（２１）を有し、この三角板部の下縁より下方へ延出した垂片（２２）とを一体形成してなる。三角板部（２１）に上下平行に２列の横長のスリット孔（２３，２４）を備える。このスリット孔はネクタイ（１）の細巾部（１１）が挿通できる大きさに規定される。垂片（２２）の中間位置又は下端部に近い位置にネクタイ止め（２５）を一体に設ける。このネクタイ止めはネクタイを横から挟持するクリップ式止具（２５ａ）とすることが好ましい。このようなネクタイ止めは、垂片（２２）と一体成形されるようにしてもよく、または別体に構成したものを一体に接着などの方法により垂片に結合してもよい。図３のネクタイ止めはクリップ式止具（２５ａ）を示し、垂片と十字形にクリップ体（２５ｂ）を一体形成してこの面に切込を入れて挟持片（２５ｃ）を形成した。クリップ式の他、ピン式とすることもできる。ピン式の場合は、針状の頭付きピンとこのピンを受ける受け座を垂片（２２）に設けることで達成できる。
【００１８】
ネクタイ締め部材（２）は、ネクタイ生地又はその他の材料により輪状に形成したもので、ホルダー（２０）の三角板部（２１）に抜差可能に被嵌されるよう三角板部（２１）と同じ逆三角形状に形成する。
【００１９】
本発明のワンタッチ簡単ネクタイは次の手順で組立てられる。先づホルダー（２０）を手に持ってネクタイ（１）の細巾部（１１）の先端をホルダーの三角板部（２１）の前面より上部のスリット孔（２３）に通し、後面で折り返して下部のスリット孔（２４）に挿通して三角板部（２１）の前面へ引き出す。長さを調整した後三角板部（２１）に輪状のネクタイ締め部材（２）を被せるとネクタイを結んだ形のものが得られる。
【００２０】
このようにして得られたネクタイをワイシャツに装着するには次のようにする。
【００２１】
先づワイシャツを着用して襟を正し、襟元の三角空間部にネクタイ締め部（２）を下から当てがうように襟の内側に押し込むと、図１に示すように上部の左右に角張った部位（２ａ，２ｂ）が左右の襟前縁（１０ａ，１０ｂ）に係止した状態になる。次にホルダー（２０）の垂片（２２）に設けたネクタイ止め（２５）でネクタイ（１）を挟持させると、ネクタイ（１）はワイシャツの襟（１０）の襟元に結んだ形にセットされる。
【００２２】
ネクタイをワイシャツの襟元から外す場合は、ネクタイ止め（２５）を外してネクタイ締め部材（２）を指でつまんで前方へ引き出せばよい。
【産業上の利用可能性】
【００２３】
以上のように、本発明に係るワンタッチ簡単ネクタイはネクタイの装着、取外しが難しい手間を要しないで簡単迅速に行うことができ、ネックバンドや襟側に着脱可能な止具を設けるような従来品に比べ通常のネクタイをそのまま使用することができる為実用性が高く、而も１本のネクタイでツートンカラーや柄違い等の変化に富んだ使用が可能なため、産業上の利用可能性は極めて高い。
【図面の簡単な説明】
【００２４】
【図１】本発明に係るワンタッチ簡単ネクタイをワイシャツに装着した状態の要部正面図である。
【図２】（ａ）はホルダーの正面図、（ｂ）は同図Ａ−Ａ線の断面図である。
【図３】（ａ）はネクタイ締め部材の正面図、（ｂ）は同図Ｂ−Ｂ線の断面図である。
【図４】ネクタイとネクタイ締め部材及びホルダーの分解斜視図である。
【図５】従来のワンタッチ止めネクタイを示し、（ａ）はネックバンド式ネクタイの要部斜視図、（ｂ）は着脱止具式ネクタイの要部斜視図である。
【符号の説明】
【００２５】
１    ネクタイ
２    ネクタイ締め部材
１０  襟
２０  ホルダー
２１  三角板部
２２  垂片
２３，２４  スリット孔
２５  ネクタイ止め
【図１】
2007224469.tif 000003
【図２】
2007224469.tif 000004
【図３】
2007224469.tif 000005
【図４】
2007224469.tif 000006
【図５】
2007224469.tif 000007